(57)【要約】【課題】  本発明は、部品点数を増やす事無く１部品で窓や音響素子の保持とそれに近接するフレキシブルプリント基板の接続部をガイドし端子接触不良を防止する事が可能な電気機器装置を提供する事を目的とする。【解決手段】  筐体に設けられた開口部を備えた電子機器装置に於いて、前記筐体の開口部の内側から当接する様に形成されたフランジ部を有した第一の部材と該第一の部材の内側に配設された透明部材でなる第二の部材とからなり、該第一の部材の一部で音響素子を保持し、該第一の部材の他の一部で該第一の部材に対して略平行方向に配設された電気回路基板上に実装されたフレキシブルプリント基板接続の為のコネクター素子の上面を覆った構成とする。【選択図】  図１
2006084955.tif 000002
【特許請求の範囲】
【請求項１】
筐体に設けられた開口部を備えた電子機器装置に於いて、前記筐体の開口部の内側から当接する様に形成されたフランジ部を有した第一の部材と該第一の部材の内側に配設された透明部材でなる第二の部材とからなり、該第一の部材の一部で音響素子を保持し、該第一の部材の他の一部で該第一の部材に対して略平行方向に配設された電気回路基板上に実装されたフレキシブルプリント基板接続の為のコネクター素子の上面を覆った事を特徴とする電子機器装置。
【請求項２】
請求項１に記載の電子機器装置に於いて、前記第一の部材は弾性部材であることを特徴とする電子機器装置。
【請求項３】
請求項１に記載の電子機器装置に於いて、前記第一の部材は筐体外側から入る入射光をカットする遮光部材であることを特徴とする電子機器装置。
【請求項４】
請求項１に記載の電子機器装置に於いて、前記第一の部材は外部からの防塵部材である事を特徴とする電子機器装置。
【請求項５】
請求項１に記載の電子機器装置に於いて、前記開口部はファインダー窓であることを特徴とする電子機器装置。
【請求項６】
請求項１に記載の電子機器装置に於いて、前記開口部はストロボ発光窓であることを特徴とする電子機器装置。
【請求項７】
請求項１に記載の電子機器装置に於いて、前記開口部はＡＦ補助光窓であることを特徴とする電子機器装置。
【請求項８】
請求項１に記載の電子機器装置に於いて、前記開口部は測距測光窓であることを特徴とする電子機器装置。
【請求項９】
請求項１に記載の電子機器装置に於いて、前記音響素子は、マイクであることを特徴とする電子機器装置。
【請求項１０】
請求項１に記載の電子機器装置に於いて、前記音響素子は、スピーカーであることを特徴とする電子機器装置。
【請求項１１】
筐体に設けられた開口部を備えた電子機器装置に於いて、前記筐体の開口部の内側から当接する様に形成されたフランジ部を有した透明部材でなる第二の部材と、該第二の部材の内側に設けられ、該第二の部材のフランジ部の内側への移動を規制する第一の部材とからなり、該第一の部材の一部で音響素子を保持し、該第一の部材の他の一部で該保持部材に対して略平行方向に配設された電気回路基板上に実装されたフレキシブルプリント基板接続の為のコネクター素子の上面を覆った事を特徴とする電子機器装置。
【請求項１２】
請求項１１に記載の電子機器装置に於いて、前記第一の部材は弾性部材であることを特徴とする電子機器装置。
【請求項１３】
請求項１１に記載の電子機器装置に於いて、前記第一の部材は筐体外側から入る入射光をカットする遮光部材であることを特徴とする電子機器装置。
【請求項１４】
請求項１１に記載の電子機器装置に於いて、前記第一の部材は外部からの防塵部材であることを特徴とする電子機器装置。
【請求項１５】
請求項１１に記載の電子機器装置に於いて、前記開口部はファインダー窓であることを特徴とする電子機器装置。
【請求項１６】
請求項１１に記載の電子機器装置に於いて、前記開口部はストロボ発光窓であることを特徴とする電子機器装置。
【請求項１７】
請求項１１に記載の電子機器装置に於いて、前記開口部はＡＦ補助光窓であることを特徴とする電子機器装置。
【請求項１８】
請求項１１に記載の電子機器装置に於いて、前記開口部は測距測光窓であることを特徴とする電子機器装置。
【請求項１９】
請求項１１に記載の電子機器装置に於いて、前記音響素子は、マイクである事を特徴とする電子機器装置。
【請求項２０】
請求項１１に記載の電子機器装置に於いて、前記音響素子は、スピーカーであることを特徴とする電子機器装置。
【発明の詳細な説明】
【技術分野】
【０００１】
本発明は、筐体に形成される開口部にファインダー窓などを備える電子機器装置に関する。
【背景技術】
【０００２】
近年デジタルカメラ等の電子機器においては、カメラ筐体の前面側に開口部が設けられファインダ窓やストロボ発光窓等が配置されている。それら窓をカメラ筐体に固定する方法として一般的には、窓に形成されているフランジ部がカメラ筐体の内側に固定されている。その場合窓だけで構成されている物と窓の内側に目隠し部材を取り付けている物などがある。
【０００３】
またカメラ筐体の構成をモールドなどの樹脂からなる筐体の外側に金属の化粧板を貼り付ける物での窓の固定方法は窓下側フランジ部を樹脂筐体と金属化粧板で挟み込み、窓上側フランジ部に別部材を設けて固定している物がある。（例えば、特許文献１参照）
【特許文献１】特開２０００−２５０１１１号公報（第３頁、図２）
【発明の開示】
【発明が解決しようとする課題】
【０００４】
前述した従来の窓固定方法としては、筐体の内側と窓のフランジ部に両面テープや接着等で固定されているが接着面積が少ない為、筐体前面から押し圧した場合など窓が脱落しやすい問題があった。
【０００５】
また上述の問題を改善させる上記の特許文献１に於ける構成では筐体を２部品として押し圧に対して強度を上げているが窓の保持部材の機能としては窓の固定の為だけであって、その分部品点数が多くなるのでコストに対しては不利であるといった問題がある。
【０００６】
本発明は、部品点数を増やす事無く１部品で窓や音響素子の保持とそれに近接するフレキシブルプリント基板の接続部をガイドし端子接触不良を防止する事が可能な電気機器装置を提供する事を目的とする。
【課題を解決するための手段】
【０００７】
上記の課題を解決するために、一手段として、電子機器装置に於いて、筐体に設けられた開口部を備えた電子機器装置に於いて、前記筐体の開口部の内側から当接する様に形成されたフランジ部を有した第一の部材と該第一の部材の内側に配設された透明部材でなる第二の部材とからなり、該第一の部材の一部で音響素子を保持し、該第一の部材の他の一部で該第一の部材に対して略平行方向に配設された電気回路基板上に実装されたフレキシブルプリント基板接続の為のコネクター素子の上面を覆ったことを特徴とする。
【０００８】
また、他の手段として、電子機器装置に於いて、筐体に設けられた開口部を備えた電子機器装置に於いて、前記筐体の開口部の内側から当接する様に形成されたフランジ部を有した透明部材でなる第二の部材と、該第二の部材の内側に設けられ、該第二の部材のフランジ部の内側への移動を規制する第一の部材とからなり、該第一の部材の一部で音響素子を保持し、該第一の部材の他の一部で該保持部材に対して略平行方向に配設された電気回路基板上に実装されたフレキシブルプリント基板接続の為のコネクター素子の上面を覆ったことを特徴とする。
【発明の効果】
【０００９】
本発明によれば、一つの部材で撮影機能に使用する窓や音響素子の保持とそれに近接するフレキシブルプリント基板の接続するコネクター部をガイドし端子接触不良を防止する事が出来る。
【００１０】
またその部材の窓部周辺から入る入射光や砂などが入り込む事を防止出来る。
【００１１】
さらに部品点数を増やす事無く構成出来る為コストメリットとして有効である。
【発明を実施するための最良の形態】
【００１２】
（実施例１）
以下、添付図面に従って本発明に係る電子機器装置の好ましい第１の実施の形態について詳説する。
【００１３】
図１は本発明を適用した実施例１の形態に係る前側筐体内側の正面図、図２は本発明を適用した実施例１の形態に係る前側筐体の斜視図、図３は本発明を適用した実施例１の形態に係る電子スチルカメラの内部構成を示す正面図、図４は本発明を適用した実施例１の形態に係る第一の部材と第二の部材が配設された電子スチルカメラの内部構成を示す正面図、図５は本発明を適用した実施例１の形態に係る図４に於けるＡ−Ａ断面から見た上面断面図、図８は本発明の実施例を示す電子スチルカメラの斜視図である。
【００１４】
まず図８に於いて、１は電子機器装置（本発明ではカメラを示す）の外装であるカメラ筐体、２は撮影光学系を構成している鏡筒、３は鏡筒２のズーム動作に連動して所定のズーム倍率が得られる様に位置が変動し被写体像を観察する為のファインダ、４は不図示のファインダブロックに一体に形成され配設された撮影時の赤目を緩和させる為の補助光、５はストロボ、６は動画撮影時に周りの音声を記録する為マイク等の音響素子が配設され設けられたマイク穴、７は電源ボタン、８はレリーズボタンである。
【００１５】
次に図１〜図２を絡めて本発明の前側筐体部の構成を説明する。
【００１６】
まず第一の部材１０に形成されている不図示のボス等の位置決め手段によって第一部材１０の後面より第二の部材１１が支持され、不図示の接着等の係止手段によって保持される。次にマイク部材１２はゴム等の弾性部材で形成され不図示マイクエレメントを保持し、第一の部材１０に形成されている穴１０ｃに軽圧入等の係止手段で保持されている。またこれらを保持した第一の部材１０に形成されているボス１０ａと１０ｂがカメラ筐体１の一部である前側筐体９に形成されている穴９ａと９ｂに勘合し、不図示の接着等の係止手段で保持されている。
【００１７】
次に図１〜図２を絡めて図３〜図５の本発明の主要な内部構成の説明する。
【００１８】
まず不図示のカメラ本体部材に鏡筒２、ファインダ３、補助光４、ストロボ５、不図示のマイコン等が実装された回路基板１３が不図示の係止手段で保持されている。
【００１９】
さらに不図示鏡筒２に配設されたフレキシブルプリント基板１４が回路基板１３上に実装されているコネクター１３ａに接続される。尚このコネクター１３ａはフレキシブルプリント基板１４を挿入させた時フレキシブルプリント基板１４が半抜けして導通接触不良とならない様に周知の可動ハウジングが配設されてフレキシブルプリント基板１４を挿入した後、可動ハウジングをロックさせている。
【００２０】
この状態に於いて前面より前側筐体９をケーシングした時に、第一の部材１０がファインダ３と補助光４に当接する。
【００２１】
この構成によると第一部材１０がファインダ３と補助光に当接する事によりカメラ筐体１の外部から入る入射光や砂などが入り込む事を防止出来る。
【００２２】
本発明の実施例では第一の部材１０にあたる窓部分はファインダー３、補助光４であるが、ストロボ発光窓や測距測光（ＡＦ／ＡＥ）窓であっても本発明と同様の効果が得られる。
【００２３】
さらにマイク部材１２も回路基板１３に当接される。この時不図示のマイクエレメントの回路基板１３側の面には不図示の接点部が配設されており、回路基板１３上に設けられている不図示のランド部に当接する事により電気的導通がなされる。
【００２４】
本発明の実施例では不図示のマイクエレメントであるが、スピーカーに置き換えても本発明と同様の効果が得られる。
【００２５】
またこの第一の部材１０ｄ部が回路基板１３上に実装されているコネクター１３ａ上面を当接或いは微小な隙間を保って覆っている事で、カメラ筐体自体に落下、振動等が掛かってもコネクター１３ａのロックが外れる事が無い為、フレキシブルプリント基板１４部の導通接触不良を防止出来る。
【００２６】
本発明の実施例では第一の部材１０は樹脂であるが、弾性部材で形成させても本発明と同様の効果が得られる。
【００２７】
（実施例２）
以下、添付図面に従って本発明に係る電子機器装置の好ましい第２の実施の形態について詳説する。
【００２８】
図６は本発明を適用した実施例２の形態に係る前側筐体内側の正面図、図７は本発明を適用した実施例２の形態に係る前側筐体の斜視図である。
【００２９】
尚主要な内部構成の構造は前記と同様の為、説明は割愛する。
【００３０】
またマイク部材１２の取り付け構造も第１の実施例と同様である為、説明は割愛する。
【００３１】
次に図６〜図７を絡めて本発明の前側筐体部の構成を説明する。
【００３２】
まず第一の部材１０に形成されている不図示のボスや勘合等の位置決め手段によって第一の部材１０の前面より第二の部材１１が支持され、不図示の接着等の係止手段によって保持される。またこれを保持した第一の部材１０に形成されているボス１０ａと１０ｂがカメラ筐体１の一部である前側筐体９に形成されている穴９ａと９ｂに勘合し、不図示の接着等の係止手段で保持されている。
【００３３】
また、本発明は、１眼レフカメラ、レンズシャッタカメラ、ビデオカメラ、デジタルカメラ等種々の形態のカメラ、更にはカメラ以外の光学機器やその他の装置、更にはそれらカメラや光学機器やその他の装置に適用される装置又は、これらを構成する要素に対しても適用できるものである。
【図面の簡単な説明】
【００３４】
【図１】本発明を適用した実施例１の形態に係る前側筐体内側の正面図
【図２】本発明を適用した実施例１の形態に係る前側筐体の斜視図
【図３】本発明を適用した実施例１の形態に係る電子スチルカメラの内部構成を示す正面図
【図４】本発明を適用した実施例１の形態に係る第一の部材と第二の部材が配設された電子スチルカメラの内部構成を示す正面図
【図５】本発明を適用した実施例１の形態に係る図４に於けるＡ−Ａ断面から見た上面断面図
【図６】本発明を適用した実施例２の形態に係る前側筐体内側の正面図
【図７】本発明を適用した実施例２の形態に係る前側筐体の斜視図
【図８】本発明の実施例を示す電子スチルカメラの斜視図
【符号の説明】
【００３５】
１  カメラ筐体
２  鏡筒
３  ファインダ
４  補助光
５  ストロボ
６  マイク穴
７  電源ボタン
８  レリーズボタン
９  前側筐体
１０  第一の部材
１１  第二の部材
１２  マイク部材
１３  回路基板
１４  フレキシブルプリント基板
【図１】
2006084955.tif 000003
【図２】
2006084955.tif 000004
【図３】
2006084955.tif 000005
【図４】
2006084955.tif 000006
【図５】
2006084955.tif 000007
【図６】
2006084955.tif 000008
【図７】
2006084955.tif 000009
【図８】
2006084955.tif 000010